(57)【特許請求の範囲】
【請求項１】
１２ポート参照信号パターンに基づいて、チャネル状態情報参照信号ＣＳＩ−ＲＳがマッピングされるリソースユニットＲＥの位置を確定し、ここで、前記１２ポート参照信号パターンでＣＳＩ−ＲＳがマッピングされるＲＥの位置が、２ポート、４ポート、８ポート参照信号パターンのうちの１つまたは複数の参照信号パターンでＣＳＩ−ＲＳがマッピングされるＲＥの位置に基づいて確定され、
さらに、確定したＲＥの位置に基づいて、ＣＳＩ−ＲＳのリソースマッピングを行う参照信号マッピング方法であって、
前記１２ポート参照信号パターンで１組のＣＳＩ−ＲＳがマッピングされる１２個のＲＥのうち、
４個のＲＥの位置は、
８ポート参照信号パターンで第１組のＣＳＩ−ＲＳがマッピングされる８個のＲＥのうちの４個のＲＥの位置とは同一であり、
残り８個のＲＥのうち、４個のＲＥの位置は、８ポート参照信号パターンで第２組のＣＳＩ−ＲＳがマッピングされる８個のＲＥのうちの４個のＲＥの位置とは同一であり、他４個のＲＥのうち、２個のＲＥの位置は、８ポート参照信号パターンで第３組のＣＳＩ−ＲＳがマッピングされる８個のＲＥのうちの２個のＲＥの位置とは同一であり、他２個のＲＥは、８ポート参照信号パターンでどの参照信号もマッピングされないＲＥである参照信号マッピング方法。
【請求項２】
前記１２ポート参照信号パターンで前記ＣＳＩ−ＲＳがマッピングされる１２個のＲＥは、同一列符号または非同一列符号に位置し、ここで各列符号に２つの隣接符号が含まれる請求項１に記載の方法。
【請求項３】
復調参照信号ＤＭ−ＲＳを送信しない場合、前記１２ポート参照信号パターンに基づいて、１組のＣＳＩ−ＲＳがマッピングされる１２個のＲＥのうち、
一部のＲＥは、
前記ＤＭ−ＲＳがマッピングされるＲＥの位置にマッピングされる請求項１に記載の方法。
【請求項４】
前記１２ポート参照信号パターンで１組のＣＳＩ−ＲＳに対応する１２個のポートのうち、
２個のポートごとに、２ビットの直交スペクトル拡散コードで多重化し、
または、
４個のポートごとに、４ビットの直交スペクトル拡散コードで多重化し、
または、
６個のポートごとに、６ビットの直交スペクトル拡散コードで多重化する請求項１に記載の方法。
【請求項５】
前記１２ポート参照信号パターンで、第１組のＣＳＩ−ＲＳに対応する１２個のポートに使用される直交スペクトル拡散コードのビット数は、第２組のＣＳＩ−ＲＳに対応する１２個のポートに使用される直交スペクトル拡散コードのビット数とは同一または非同一である請求項１に記載の方法。
【請求項６】
確定モジュールと、マッピングモジュールとを含む参照信号マッピング装置において、
前記確定モジュールは、１２ポート参照信号パターンに基づいて、チャネル状態情報参照信号ＣＳＩ−ＲＳがマッピングされるリソースユニットＲＥの位置を確定することに用いられ、ここで、前記１２ポート参照信号パターンでＣＳＩ−ＲＳがマッピングされるＲＥの位置が、２ポート、４ポート、８ポート参照信号パターンのうちの１つまたは複数の参照信号パターンでＣＳＩ−ＲＳがマッピングされるＲＥの位置に基づいて確定され、
前記マッピングモジュールは、確定したＲＥの位置に基づいて、ＣＳＩ−ＲＳのリソースマッピングを行うことに用いられ、
前記１２ポート参照信号パターンで１組のＣＳＩ−ＲＳがマッピングされる１２個のＲＥのうち、
４個のＲＥの位置は、
８ポート参照信号パターンで第１組のＣＳＩ−ＲＳがマッピングされる８個のＲＥのうちの４個のＲＥの位置とは同一であり、
残り８個のＲＥのうち、４個のＲＥの位置は、８ポート参照信号パターンで第２組のＣＳＩ−ＲＳがマッピングされる８個のＲＥのうちの４個のＲＥの位置とは同一であり、他４個のＲＥのうち、２個のＲＥの位置は、８ポート参照信号パターンで第３組のＣＳＩ−ＲＳがマッピングされる８個のＲＥのうちの２個のＲＥの位置とは同一であり、他２個のＲＥは、８ポート参照信号パターンでどの参照信号もマッピングされないＲＥである参照信号マッピング装置。
【請求項７】
前記１２ポート参照信号パターンで前記ＣＳＩ−ＲＳがマッピングされる１２個のＲＥは、同一列符号または非同一列符号に位置し、ここで各列符号に２つの隣接符号が含まれる請求項６に記載の装置。
【請求項８】
復調参照信号ＤＭ−ＲＳを送信しない場合、前記１２ポート参照信号パターンに基づいて、１組のＣＳＩ−ＲＳがマッピングされる１２個のＲＥのうち、
一部のＲＥは、
前記ＤＭ−ＲＳがマッピングされるＲＥの位置にマッピングされる請求項６に記載の装置。
【請求項９】
前記１２ポート参照信号パターンで１組のＣＳＩ−ＲＳに対応する１２個のポートのうち、
少なくとも２個のポートは、２ビットの直交スペクトル拡散コードで多重化し、
または、
少なくとも４個のポートは、４ビットの直交スペクトル拡散コードで多重化し、
または、
少なくとも６個のポートは、６ビットの直交スペクトル拡散コードで多重化し、
前記１２ポート参照信号パターンは、ＤｗＰＴＳの１２ポート参照信号パターンを含む請求項６または７に記載の装置。
【発明の詳細な説明】
【技術分野】
【０００１】
本願は、２０１５年７月２７日に中国特許庁に提出された中国特許出願２０１５１０４４７０６５．５の優先権を主張し、その全ての内容が援用により本願に取り込まれる。
【０００２】
本発明は、無線通信の技術分野に係り、特に参照信号マッピング方法および装置に関する。
【背景技術】
【０００３】
Ｒｅｌ−１０バージョンのＬＴＥ（Ｌｏｎｇ  Ｔｅｒｍ  Ｅｖｏｌｕｔｉｏｎ）システムにおいて、ダウンリンクについて、セル固有参照信号Ｃ−ＲＳ（Ｃｅｌｌ−ｓｐｅｃｉｆｉｃ  Ｒｅｆｅｒｅｎｃｅ  Ｓｉｇｎａｌ）、ユーザ固有参照信号ＵＥ−ＲＳ（ＵＥ−ｓｐｅｃｉｆｉｃ  ｒｅｆｅｒｅｎｃｅ  ｓｉｇｎａｌ、復調参照信号ＤＭ−ＲＳ（Ｄｅｍｏｄｕｌａｔｉｏｎ−Ｒｅｆｅｒｅｎｃｅ  Ｓｉｇｎａｌ）ともいう）、単一周波数マルチキャスト配信ネットワークＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）参照信号、位置参照信号Ｐ−ＲＳ（Ｐｏｓｉｔｉｏｎｉｎｇ−Ｒｅｆｅｒｅｎｃｅ  Ｓｉｇｎａｌ）、ダウンリンクチャネル測定および推定用のチャネル状態情報参照信号ＣＳＩ−ＲＳ（Ｃｈａｎｎｅｌ  Ｓｔａｔｅ  Ｉｎｄｉｃａｔｉｏｎ  Ｒｅｆｅｒｅｎｃｅ  Ｓｉｇｎａｌ）の５種類の参照信号が定義されている。
【０００４】
図１Ａ、図１Ｂ、図１Ｃには、ＬＴＥシステムでＣＳＩ−ＲＳをサポートする参照信号パターンがそれぞれ示されている。当該参照信号パターンは、異なる参照信号のリソース位置を示し、すなわち異なる参照信号がマッピングされるＲＥの物理リソースブロックＰＲＢ（Ｐｈｙｓｉｃａｌ  Ｒｅｓｏｕｒｃｅ  Ｂｌｏｃｋ）での位置を示す。
【０００５】
各ダウンリンクアンテナポートで１つの参照信号が伝送される。１個のＰＲＢには、２０個の２ポート（図１Ａを参照する）、１０個の４ポート（図１Ｂを参照する）、５個の８ポート（図１Ｃを参照する）参照信号パターンを有する。
【０００６】
図１Ａ、図１Ｂ、図１Ｃに示されているように、現在、ＬＴＥシステムでは、ＣＳＩ−ＲＳについて２ポート、４ポートまたは８ポートに設定することができるが、それ以上のアンテナポートのＣＳＩ−ＲＳのサポートができない。
【発明の概要】
【発明が解決しようとする課題】
【０００７】
本発明の実施例は、１２ポートまたは１６ポートのＣＳＩ−ＲＳマッピングを実現するための参照信号マッピング方法および装置を提供する。
【課題を解決するための手段】
【０００８】
第１の態様として、本発明の実施例は、参照信号マッピング方法を提供する。当該方法では、Ｎ（１２または１６）ポート参照信号パターンに基づいて、チャネル状態情報参照信号ＣＳＩ−ＲＳがマッピングされるリソースユニットＲＥの位置を確定する。ここで、前記Ｎポート参照信号パターンでＣＳＩ−ＲＳがマッピングされるＲＥの位置は、２ポート、４ポート、８ポート参照信号パターンのうちの１つまたは複数の参照信号パターンでＣＳＩ−ＲＳがマッピングされるＲＥの位置に基づいて確定される。当該方法において、さらに、確定したＲＥの位置に基づいて、ＣＳＩ−ＲＳのリソースマッピングを行う。
【０００９】
第２の態様として、本発明の実施例は、確定モジュールと、マッピングモジュールとを含む参照信号マッピング装置をさらに提供する。当該確定モジュールは、Ｎ（１２または１６）ポート参照信号パターンに基づいて、チャネル状態情報参照信号ＣＳＩ−ＲＳがマッピングされるリソースユニットＲＥの位置を確定する。ここで、前記Ｎポート参照信号パターンでＣＳＩ−ＲＳがマッピングされるＲＥの位置は、２ポート、４ポート、８ポート参照信号パターンのうちの１つまたは複数の参照信号パターンでＣＳＩ−ＲＳがマッピングされるＲＥの位置に基づいて確定される。当該マッピングモジュールは、確定したＲＥの位置に基づいて、ＣＳＩ−ＲＳのリソースマッピングを行う。
【００１０】
第３の態様として、本発明の実施例は、プロセッサと、バスインタフェースで前記プロセッサに接続し、前記プロセッサによる操作実行時に使用されるプログラムとデータの記憶に用いられるメモリと、伝送媒体で各種類の他機器と通信するためのトランシーバとを含むネットワーク側機器をさらに提供する。当該ネットワーク側機器は、プロセッサが前記メモリに記憶されているプログラムとデータを呼び出して実行するとき、Ｎ（１２または１６）ポート参照信号パターンに基づいて、チャネル状態情報参照信号ＣＳＩ−ＲＳがマッピングされるリソースユニットＲＥの位置を確定する処理を実行する。ここで、前記Ｎポート参照信号パターンでＣＳＩ−ＲＳがマッピングされるＲＥの位置は、２ポート、４ポート、８ポート参照信号パターンのうちの１つまたは複数の参照信号パターンでＣＳＩ−ＲＳがマッピングされるＲＥの位置に基づいて確定される。当該ネットワーク側機器は、さらに、確定したＲＥの位置に基づいて、ＣＳＩ−ＲＳのリソースマッピングを行う処理を実行する。
【発明の効果】
【００１１】
本発明の上述の実施例では、例えば２ポート、４ポート、８ポート参照信号パターンのうちの１つまたは複数の参照信号パターンの従来の参照信号パターンに基づいて、１２ポートまたは１６ポートの参照信号パターンを取得するとともに、参照信号マッピングの実行時に、当該１２ポートまたは１６ポートの参照信号パターンに基づいて、ＣＳＩ−ＲＳがマッピングされるＲＥの位置を確定し、当該ＲＥの位置に基づいてＣＳＩ−ＲＳのリソースマッピングを行うことによって、１２ポートまたは１６ポートのＣＳＩ−ＲＳマッピングを実現し、さらに１２ポートまたは１６ポートのＣＳＩ−ＲＳ伝送を実現する。
【図面の簡単な説明】
【００１２】
本発明の実施例や従来技術の技術手段をより明確に説明するために、以下、実施例の記載に必要とされる図面を簡単に紹介する。明らかに、以下の記載に関する図面は、単に本発明の一部の実施例である。当業者にとって、創造性のある作業をしない前提で、これらの図面から他の図面を得ることもできる。
【００１３】
【図１Ａ】従来技術の２ポート参照信号パターンである。
【図１Ｂ】従来技術の４ポート参照信号パターンである。
【図１Ｃ】従来技術の８ポート参照信号パターンである。
【図２】本発明の実施例による参照信号マッピングフローである。
【図３Ａ】本発明の実施例１における１２ポート参照信号パターンである。
【図３Ｂ】本発明の実施例１における１２ポート参照信号パターンである。
【図３Ｃ】本発明の実施例１における１２ポート参照信号パターンである。
【図４Ａ】本発明の実施例２における１２ポート参照信号パターンである。
【図４Ｂ】本発明の実施例２における１２ポート参照信号パターンである。
【図４Ｃ】本発明の実施例２における１２ポート参照信号パターンである。
【図５Ａ】本発明の実施例３における１２ポート参照信号パターンである。
【図５Ｂ】本発明の実施例３における１２ポート参照信号パターンである。
【図５Ｃ】本発明の実施例３における１２ポート参照信号パターンである。
【図６Ａ】本発明の実施例４における１２ポート参照信号パターンである。
【図６Ｂ】本発明の実施例４における１２ポート参照信号パターンである。
【図７Ａ】本発明の実施例５における１６ポート参照信号パターンである。
【図７Ｂ】本発明の実施例５における１６ポート参照信号パターンである。
【図７Ｃ】本発明の実施例５における１６ポート参照信号パターンである。
【図７Ｄ】本発明の実施例５における１６ポート参照信号パターンである。
【図７Ｅ】本発明の実施例５における１６ポート参照信号パターンである。
【図７Ｆ】本発明の実施例５における１６ポート参照信号パターンである。
【図８】本発明の実施例による参照信号マッピング装置の概略構造図である。
【図９】本発明の実施例によるネットワーク側機器（例えば基地局）の概略構造図である。
【発明を実施するための形態】
【００１４】
以下、図面と実施例を参照しながら、本発明の具体的な実施形態を更に記載する。以下の実施例は、本発明の説明に用いられ、本発明の範囲を限定するためのものではない。
【００１５】
本発明の実施例の目的、技術手段及び利点をより明確にするために、以下、本発明の実施例の図面を参照しながら、本発明の実施例の技術案を明確且つ完全に記載する。明らかに、記載する実施例は、本発明の実施例の一部であり、全てではない。記載する本発明の実施例に基づき、当業者が為しうる全ての実施例は、いずれも本発明の保護範囲に属するものである。
【００１６】
別途に定義する場合を除き、ここで使用される技術用語や科学用語は、本発明の所属する分野の一般技能を持つ者が理解する通常の意味である。本発明の明細書及び特許請求の範囲に使用される「第１」、「第２」及び類似用語は、単に異なる構成部分を区別するためのものであり、順番、数量又は重要度をいっさい表さない。同様に、「１つ」又は「一」などその他の類似用語は、少なくとも１つ存在することを表し、数の限定ではない。「接続」や「連結」などその他の類似の用語は、物理や機械的接続に限定するのではなく、直接か間接かを関係なしに電気的接続も含む。「上」、「下」、「左」、「右」などは、相対的位置関係を表すものであり、記載対象の絶対位置が変わると、当該相対的位置関係も対応的に変わる。
【００１７】
以下、本発明の実施例の図面を参照しながら、本発明の実施例の技術案を明確且つ完全に記載する。明らかに、記載する実施例は、本発明の実施例の一部であり、全てではない。本発明の実施例に基づき、当業者が為しうる全ての実施例は、本発明の保護範囲に属するものである。
【００１８】
以下、明細書の図面を参照しながら、本発明の実施例を詳細に記載する。
【００１９】
各ダウンリンクアンテナポートで１つの参照信号が伝送される。アンテナポートとは、伝送用の論理ポートであり、１つまたは複数の実際の物理アンテナに対応する。アンテナポートは、受信機の角度から定義されたものであり、すなわち受信機がリソースについて空間上の相違を区分する必要がある場合、複数のアンテナポートを定義する必要がある。端末から言えば、あるアンテナポートに対応する参照信号を受信するが、当該参照信号について複数の物理アンテナで伝送される信号から多重化したものの可能性があるにもかかわらず、受信した参照信号によって、対応するアンテナポートを定義することになる。
【００２０】
図２は、本発明の実施例による参照信号マッピングフローである。当該フローは、基地局によって実行される。図２に示すように、当該フローは、以下のステップを含む。
【００２１】
ステップ２０１において、Ｎ（１２または１６）ポート参照信号パターンに基づいて、ＣＳＩ−ＲＳがマッピングされるＲＥ（リソースユニット）の位置を確定する。ここで、前記Ｎポート参照信号パターンでＣＳＩ−ＲＳがマッピングされるＲＥの位置は、２ポート、４ポート、８ポート参照信号パターンのうちの１つまたは複数の参照信号パターンでＣＳＩ−ＲＳがマッピングされるリソースユニットＲＥの位置に基づいて確定される。
【００２２】
ステップ２０２において、確定したＲＥの位置に基づいて、ＣＳＩ−ＲＳのリソースマッピングを行う。
【００２３】
本発明の実施例において、２ポート、４ポート、８ポート参照信号パターンのうちの１つまたは複数の参照信号パターンの組み合わせを利用して１２ポート参照信号パターンを生成し、当該１２ポート参照信号パターンに基づいてＣＳＩ−ＲＳマッピングを行うことによって、１２ポートのＣＳＩ−ＲＳ伝送を実現することができる。同様に、２ポート、４ポート、８ポート参照信号パターンのうちの１つまたは複数の参照信号パターンの組み合わせを利用して１６ポート参照信号パターンを生成し、当該１６ポート参照信号パターンに基づいてＣＳＩ−ＲＳマッピングを行うことによって、１６ポートのＣＳＩ−ＲＳ伝送を実現することができる。
【００２４】
上述のフローによって、基地局は、アンテナポート数が１２または１６以上である場合、端末への１２ポートＣＳＩ−ＲＳまたは１６ポートＣＳＩ−ＲＳを設定することができる。端末は、設定したＣＳＩ−ＲＳポートでチャネルを測定してチャネル情報をフィードバックする。
【００２５】
前記Ｎポート参照信号パターンでＮが１２または１６であって比較的大きい値を取ることを考慮し、設計の簡単化を図るために、本発明の実施例による１２ポート参照信号パターンおよび／または１６ポート参照信号パターンは、少なくとも８ポート参照信号パターンに基づいて設計できることが好ましい。すなわち、前記Ｎポート参照信号パターンで１組のＣＳＩ−ＲＳがマッピングされるＮ個のＲＥのうち、少なくとも一部のＲＥの位置は、８ポート参照信号パターンで１組または複数組のＣＳＩ−ＲＳがマッピングされるＲＥの位置とは同一である。もちろん、本発明の実施例では、１２ポートまたは１６ポート参照信号パターンを設計するには、２ポート、４ポート、８ポート参照信号パターンのうちの各種類の排列／組み合わせに基づくことを除外しない。
【００２６】
（１）１２ポート参照信号パターン
一種の実現方式として、本発明の実施例による１２ポート参照信号パターンで、１組のＣＳＩ−ＲＳがマッピングされる１２個のＲＥのうち、８個のＲＥの位置は、８ポート参照信号パターンで第１組のＣＳＩ−ＲＳがマッピングされる８個のＲＥの位置とは同一であり、さらに、残り４個のＲＥの位置は、下記第１分布〜第５分布のうちのいずれかであることが好ましい。
第１分布）前記残り４個のＲＥの分布は、４ポート参照信号パターンで１組のＣＳＩ−ＲＳがマッピングされる４個のＲＥの位置とは同一である。例えば、図１Ｃに示すパターンから、１組の８ポートＣＳＩ−ＲＳがマッピングされるＲＥを任意に選択し、さらに図１Ｂに示すパターンから、１組の４ポートＣＳＩ−ＲＳがマッピングされるＲＥを任意に選択し、選択した８ポートＣＳＩ−ＲＳがマッピングされるＲＥと選択した４ポートＣＳＩ−ＲＳがマッピングされるＲＥとは重ならないことを保証する。これらＲＥの位置によって、１２ポート参照信号パターンで１組の１２ポートＣＳＩ−ＲＳのパターンを得ることができる。
第２分布）前記残り４個のＲＥは、８ポート参照信号パターンでどの参照信号もマッピングされないＲＥである。例えば、図１Ｃに示すパターンで４組の８ポートＣＳＩ−ＲＳのマッピングパターンを保留し、残りポートに対応するＲＥを、どの参照信号もマッピングされないＲＥから選択することによって、１２ポート参照信号パターンを得る。
第３分布）前記残り４個のＲＥの位置は、８ポート参照信号パターンで第２組のＣＳＩ−ＲＳがマッピングされるＲＥのうちの４個のＲＥの位置とは同一である。
第４分布）前記残り４個のＲＥのうち、２個のＲＥの位置は、８ポート参照信号パターンで第２組のＣＳＩ−ＲＳがマッピングされる８個のＲＥのうちの２個のＲＥの位置とは同一であり、他２個のＲＥの位置は、８ポート参照信号パターンで第３組のＣＳＩ−ＲＳがマッピングされる８個のＲＥのうちの２個のＲＥの位置とは同一である。
第５分布）前記残り４個のＲＥのうち、２個のＲＥの位置は、８ポート参照信号パターンで第２組のＣＳＩ−ＲＳがマッピングされる８個のＲＥのうちの２個のＲＥの位置とは同一であり、他２個のＲＥの位置は、８ポート参照信号パターンでどの参照信号もマッピングされないＲＥである。
【００２７】
なお、上記第１〜第５分布において、前記「第１組のＣＳＩ−ＲＳ」、「第２組のＣＳＩ−ＲＳ」、「第３組のＣＳＩ−ＲＳ」は、特定した組のＣＳＩ−ＲＳを指すというわけではなく、単に他２組のＣＳＩ−ＲＳと区別するために用いられる。
【００２８】
別の実現方式として、本発明の実施例による１２ポート参照信号パターンで、１組のＣＳＩ−ＲＳがマッピングされる１２個のＲＥのうち、４個のＲＥの位置は、８ポート参照信号パターンで第１組のＣＳＩ−ＲＳがマッピングされる８個のＲＥのうちの４個のＲＥの位置とは同一であり、残り８個のＲＥの位置は、下記第６分布〜第９分布のうちのいずれかを含むことが好ましい。
第６分布）前記残り８個のＲＥのうち、４個のＲＥの位置は、８ポート参照信号パターンで第２組のＣＳＩ−ＲＳがマッピングされる８個のＲＥのうちの４個のＲＥの位置とは同一であり、他４個のＲＥのうち、２個のＲＥの位置は、８ポート参照信号パターンで第３組のＣＳＩ−ＲＳがマッピングされる８個のＲＥのうちの２個のＲＥの位置とは同一であり、他２個のＲＥは、８ポート参照信号パターンでどの参照信号もマッピングされないＲＥである。
第７分布）前記残り８個のＲＥのうち、４個のＲＥの位置は、８ポート参照信号パターンで第２組のＣＳＩ−ＲＳがマッピングされる８個のＲＥのうちの４個のＲＥの位置とは同一であり、他４個のＲＥの位置は、８ポート参照信号パターンで第３組のＣＳＩ−ＲＳがマッピングされる８個のＲＥのうちの４個のＲＥの位置とは同一である。
第８分布）前記残り８個のＲＥのうち、４個のＲＥの位置は、８ポート参照信号パターンで第２組のＣＳＩ−ＲＳがマッピングされる８個のＲＥのうちの４個のＲＥの位置とは同一であり、他４個のＲＥは、８ポート参照信号パターンでどの参照信号もマッピングされないＲＥである。
第９分布）前記残り８個のＲＥは、８ポート参照信号パターンでどの参照信号もマッピングされないＲＥである。
【００２９】
同様に、上記第６〜第９分布において、前記「第１組のＣＳＩ−ＲＳ」、「第２組のＣＳＩ−ＲＳ」、「第３組のＣＳＩ−ＲＳ」は、特定した組のＣＳＩ−ＲＳを指すというわけではなく、単に他２組のＣＳＩ−ＲＳと区別するために用いられる。
【００３０】
本発明の実施例による１２ポート参照信号パターンで、１組のＣＳＩ−ＲＳがマッピングされるＮ個のＲＥは、同一列符号または非同一列符号に位置する。ここで、各列符号に２つの隣接符号が含まれる。さらに、１組のＣＳＩ−ＲＳがマッピングされるＮ個のＲＥが非同一列符号に位置する場合、２列または３列符号に位置する。１２ポート参照信号パターンで、３列符号がＣＳＩ−ＲＳのマッピング先になる。本発明の実施例において、１組の１２ポートＣＳＩ−ＲＳが２列符号にマッピングされることに対し、具体的にマッピング先となる２列符号を限定しない。
【００３１】
復調参照信号ＤＭ−ＲＳ（Ｄｅ  Ｍｏｄｕｌａｔｉｏｎ  Ｒｅｆｅｒｅｎｃｅ  Ｓｉｇｎａｌ）を送信しない場合、１２ポート参照信号パターンに基づいて、１組のＣＳＩ−ＲＳがマッピングされるＮ個のＲＥのうち、一部のＲＥは、前記ＤＭ−ＲＳがマッピングされるＲＥの位置にマッピングされる。このように、充分に物理リソースを利用してＣＳＩ−ＲＳを伝送することができる。
【００３２】
本発明の実施例による１２ポート参照信号パターンで、１組のＣＳＩ−ＲＳに対応する１２個のポートのうち、少なくとも２個のポートは、２ビットの直交スペクトル拡散コードで多重化し、または、少なくとも４個のポートは、４ビットの直交スペクトル拡散コードで多重化し、または、少なくとも６個のポートは、６ビットの直交スペクトル拡散コードで多重化する。任意にポートを選択して多重化することが好ましい。本発明の実施例による１２ポート参照信号パターンで、２個のポートごとに、２ビットの直交スペクトル拡散コードで多重化し、または、４個のポートごとに、４ビットの直交スペクトル拡散コードで多重化し、または、６個のポートごとに、６ビットの直交スペクトル拡散コードで多重化することが好ましい。
【００３３】
本発明の実施例による１２ポート参照信号パターンで、第１組のＣＳＩ−ＲＳに対応するＮ個のポートに使用される直交スペクトル拡散コードのビット数は、第２組のＣＳＩ−ＲＳに対応するＮ個のポートに使用される直交スペクトル拡散コードのビット数とは同一または非同一である。ここで、上述の「第１組のＣＳＩ−ＲＳ」、「第２組のＣＳＩ−ＲＳ」は、特定した組のＣＳＩ−ＲＳを指すというわけではなく、単に区別するために用いられる。
【００３４】
さらに、本発明の実施例による１２ポート参照信号パターンは、ＤｗＰＴＳ（Ｄｏｗｎｌｉｎｋ  Ｐｉｌｏｔ  Ｔｉｍｅ  Ｓｌｏｔ、ダウンリンクパイロットタイムスロットともいう）の１２ポート参照信号パターンを含む。このように、ＤｗＰＴＳの１２ポート参照信号パターンに基づいて、ＤｗＰＴＳでＣＳＩ−ＲＳのマッピングと伝送を行うことができる。
【００３５】
（２）１６ポート参照信号パターン
本発明の実施例による１６ポート参照信号パターンで、１組のＣＳＩ−ＲＳがマッピングされる１６個のＲＥのうち、８個のＲＥの位置は、８ポート参照信号パターンで第１組のＣＳＩ−ＲＳがマッピングされる８個のＲＥの位置とは同一であり、残り８個のＲＥの位置は、８ポート参照信号パターンで第２組のＣＳＩ−ＲＳがマッピングされる８個のＲＥの位置とは同一であることが好ましい。例えば、１６ポートＣＳＩ−ＲＳの参照信号パターンの構成方法として、直接２つの８ポートパターンを組み合わせることである。
【００３６】
本発明の実施例による１６ポート参照信号パターンで、１組のＣＳＩ−ＲＳがマッピングされるＮ個のＲＥは、同一列符号または非同一列符号に位置する。ここで各列符号に２つの隣接符号が含まれる。さらに、１組のＣＳＩ−ＲＳがマッピングされるＮ個のＲＥが非同一列符号に位置する場合、２列または３列符号に位置する。１６ポート参照信号パターンで、３列符号がＣＳＩ−ＲＳのマッピング先になる。本発明の実施例において、１組の１６ポートＣＳＩ−ＲＳが２列符号にマッピングされることに対し、具体的にマッピング先となる２列符号を限定しない。
【００３７】
ＤＭ−ＲＳを送信しない場合、１６ポート参照信号パターンに基づいて、１組のＣＳＩ−ＲＳがマッピングされるＮ個のＲＥのうち、一部のＲＥは、前記ＤＭ−ＲＳがマッピングされるＲＥの位置にマッピングされる。このように、充分に物理リソースを利用してＣＳＩ−ＲＳを伝送することができる。
【００３８】
本発明の実施例による１６ポート参照信号パターンで、１組のＣＳＩ−ＲＳに対応する１６個のポートのうち、少なくとも２個のポートは、２ビットの直交スペクトル拡散コードで多重化し、または、少なくとも４個のポートは、４ビットの直交スペクトル拡散コードで多重化し、または、少なくとも６個のポートは、６ビットの直交スペクトル拡散コードで多重化する。任意にポートを選択して多重化することが好ましい。本発明の実施例による１６ポート参照信号パターンで、１組のＣＳＩ−ＲＳに対応する１６個のポートのうち、２個のポートごとに、２ビットの直交スペクトル拡散コードで多重化し、または、１組のＣＳＩ−ＲＳに対応する１６個のポートのうち、４個のポートごとに、４ビットの直交スペクトル拡散コードで多重化することが好ましい。
【００３９】
本発明の実施例による１６ポート参照信号パターンで、第１組のＣＳＩ−ＲＳに対応するＮ個のポートに使用される直交スペクトル拡散コードのビット数は、第２組のＣＳＩ−ＲＳに対応するＮ個のポートに使用される直交スペクトル拡散コードのビット数とは同一または非同一である。ここで、上述の「第１組のＣＳＩ−ＲＳ」、「第２組のＣＳＩ−ＲＳ」は、特定した組のＣＳＩ−ＲＳを指すというわけではなく、単に区別するために用いられる。
【００４０】
さらに、本発明の実施例による１６ポート参照信号パターンは、ＤｗＰＴＳの１６ポート参照信号パターンを含む。このように、ＤｗＰＴＳの１６ポート参照信号パターンに基づいて、ＤｗＰＴＳでＣＳＩ−ＲＳのマッピングと伝送を行うことができる。
【００４１】
本発明の実施例をより明確に理解するために、以下、実施例１〜実施例５を参照しながら、本発明の実施例による１２ポート、１６ポート参照信号パターンのいくつかの例を詳細に記載する。
【００４２】
実施例１
実施例１では、４ポート参照信号パターン、８ポート参照信号パターンから１２ポート参照信号パターンの取得手法を示している。
【００４３】
図３Ａには、１２ポート参照信号パターンが示されている。なお、図３Ａに示す１２ポート参照信号パターンが一例に過ぎず、前記１２ポート参照信号パターンの分布規則に基づいて、他の１２ポート参照信号パターンを得ることもできるが、ここでは枚挙しない。
【００４４】
図３Ａでは、記載しやすくするために、１つの四角形で１つのＲＥを示し、１つのＲＥの位置が座標（ｘ，ｙ）（ここで、ｘ：符号番号、ｙ：サブ搬送波番号）で示される。各四角形の中の数値は、ポート番号を示す。
【００４５】
図３Ａには、３組の１２ポートＣＳＩ−ＲＳのパターンが示されている。そのうち、第１組のＣＳＩ−ＲＳがマッピングされるＲＥは、ポート番号０から１１までの順に、下記位置のＲＥ、すなわち（５，９）、（６，９）、（５，３）、（６，３）、（５，８）、（６，８）、（５，２）、（６，２）、（９，７）、（１０，７）、（９，１）、（１０，１）を含む。ここで、ポート０〜ポート７に対応するＲＥは、図１Ｃにおける１組の８ポートＣＳＩ−ＲＳがマッピングされるＲＥとは位置が同一であり、ポート８〜ポート１１に対応するＲＥは、図１Ｂにおける１組のＣＳＩ−ＲＳがマッピングされるＲＥとは位置が同一である。第２組のＣＳＩ−ＲＳがマッピングされるＲＥは、ポート番号０から１１までの順に、下記位置のＲＥ、すなわち（９，９）、（１０，９）、（９，３）、（１０，３）、（９，８）、（１０，８）、（９，２）、（１０，２）、（９，６）、（１０，６）、（９，０）、（１０，０）を含む。ここで、ポート０〜ポート７に対応するＲＥは、図１Ｃにおける１組のＣＳＩ−ＲＳがマッピングされるＲＥとは位置が同一であり、ポート８〜ポート１１に対応するＲＥは、図１Ｂにおける１組のＣＳＩ−ＲＳがマッピングされるＲＥとは位置が同一である。第３組のＣＳＩ−ＲＳがマッピングされるＲＥは、ポート番号０から１１までの順に、下記位置のＲＥ、すなわち（１２，９）、（１３，９）、（１２，３）、（１３，３）、（１２，８）、（１３，８）、（１２，２）、（１３，２）、（９，１１）、（１０，１１）、（９，５）、（１０，５）を含む。ここで、ポート０〜ポート７に対応するＲＥは、図１Ｃにおける１組のＣＳＩ−ＲＳがマッピングされるＲＥとは位置が同一であり、ポート８〜ポート１１に対応するＲＥは、図１Ｂにおける１組のＣＳＩ−ＲＳがマッピングされるＲＥとは位置が同一である。
【００４６】
本発明の実施例において、上述の原理に基づいて、ＴＤＤ（Ｔｉｍｅ  Ｄｉｖｉｓｉｏｎ  Ｄｕｐｌｅｘｉｎｇ）サブフレームのＤｗＰＴＳ領域内の１２ポート参照信号パイロットパターンを得ることもできる。
【００４７】
図３Ｂと図３Ｃには、それぞれＤｗＰＴＳでの１２ポート参照信号パターンが示されている。図３Ｂに示すパターンは、長さが１１個符号または１２個符号であるＤｗＰＴＳに適用するに対し、図３Ｃに示すパターンは、長さが９個符号または１０個符号であるＤｗＰＴＳに適用する。なお、図３Ｂ、図３Ｃに示す１２ポート参照信号パターンが一例に過ぎず、前記１２ポート参照信号パターンの分布規則に基づいて、他の１２ポート参照信号パターンを得ることもできるが、ここでは枚挙しない。
【００４８】
図３Ｂ、図３Ｃでは、記載しやすくするために、１つの四角形で１つのＲＥを示し、１つのＲＥの位置が座標（ｘ，ｙ）（ここで、ｘ：符号番号、ｙ：サブ搬送波番号）で示される。各四角形の中の数値は、ポート番号を示す。
【００４９】
図３Ｂには、３組の１２ポートＣＳＩ−ＲＳのパターンが示されている。当該３組の１２ポートＣＳＩ−ＲＳのパターンは、前記１２ポート参照信号パターンの第１分布に基づいて分布可能である。そのうち、第１組のＣＳＩ−ＲＳがマッピングされるＲＥは、ポート番号０から１１までの順に、下記位置のＲＥ、すなわち（２，９）、（３，９）、（２，３）、（３，３）、（２，８）、（３，８）、（２，２）、（３，２）、（５，６）、（６，６）、（５，０）、（６，０）を含む。ここで、ポート０〜ポート７に対応するＲＥは、図１Ｃにおける１組のＣＳＩ−ＲＳがマッピングされるＲＥの位置から３個符号前へ移動した位置とは同一であり、ポート８〜ポート１１に対応するＲＥは、図１Ｂにおける１組のＣＳＩ−ＲＳがマッピングされるＲＥの位置から４個符号前へ移動した位置とは同一である。第２組のＣＳＩ−ＲＳがマッピングされるＲＥは、ポート番号０から１１までの順に、下記位置のＲＥ、すなわち（５，１１）、（６，１１）、（５，５）、（６，５）、（５，１０）、（６，１０）、（５，４）、（６，４）、（５，７）、（６，７）、（５，１）、（６，１）を含む。ここで、ポート０〜ポート７に対応するＲＥは、図１Ｃにおける１組のＣＳＩ−ＲＳがマッピングされるＲＥの位置から３個符号前へ移動した位置とは同一であり、ポート８〜ポート１１に対応するＲＥは、図１Ｂにおける１組のＣＳＩ−ＲＳがマッピングされるＲＥの位置から４個符号前へ移動した位置とは同一である。第３組のＣＳＩ−ＲＳがマッピングされるＲＥは、ポート番号０から１１までの順に、下記位置のＲＥ、すなわち（９，９）、（１０，９）、（９，３）、（１０，３）、（９，８）、（１０，８）、（９，２）、（１０，２）、（５，９）、（６，９）、（５，３）、（６，３）を含む。ここで、ポート０〜ポート７に対応するＲＥは、図１Ｃにおける１組のＣＳＩ−ＲＳがマッピングされるＲＥの位置から３個符号前へ移動した位置とは同一であり、ポート８〜ポート１１に対応するＲＥは、図１Ｂにおける１組のＣＳＩ−ＲＳがマッピングされるＲＥの位置から４個符号前へ移動した位置とは同一である。
【００５０】
図３Ｃには、１組の１２ポートＣＳＩ−ＲＳのパターンが示されている。ここで、ポート１〜ポート７に対応するＲＥは、図１Ｃにおける１組のＣＳＩ−ＲＳがマッピングされるＲＥの位置から３個符号前へ移動した位置とは同一であり、ポート８〜ポート１１に対応するＲＥは、図１Ｂにおける１組のＣＳＩ−ＲＳがマッピングされるＲＥの位置から４個符号前へ移動した位置とは同一である。
【００５１】
図３Ａ、図３Ｂまたは図３Ｃでは、２個のポートごとに、２ビットＯＣＣ（Ｏｒｔｈｏｇｏｎａｌ  Ｃｏｍｐｌｅｍｅｎｔａｒｙ  Ｃｏｄｅ）によって多重化することができる。例えば、表１に示す方式に基づいて多重化することができる。
【００５２】
【表１】
0006618607.tif 000002
【００５３】
表１には、ＣＳＩ−ＲＳポート０とＣＳＩ−ＲＳポート１が２ビットＯＣＣで多重化でき、ＣＳＩ−ＲＳポート４とＣＳＩ−ＲＳポート５が２ビットＯＣＣで多重化でき、ＣＳＩ−ＲＳポート８とＣＳＩ−ＲＳポート９が２ビットＯＣＣで多重化でき、ＣＳＩ−ＲＳポート１０とＣＳＩ−ＲＳポート１１が２ビットＯＣＣで多重化でき、ＣＳＩ−ＲＳポート２とＣＳＩ−ＲＳポート３が２ビットＯＣＣで多重化でき、ＣＳＩ−ＲＳポート６とＣＳＩ−ＲＳポート７が２ビットＯＣＣで多重化できることが示されている。
【００５４】
実施例２
実施例２では、８ポート参照信号パターンから１２ポート参照信号パターンの取得手法を示している。
【００５５】
図４Ａには、１２ポート参照信号パターンが示されている。なお、図４Ａに示す１２ポート参照信号パターンが一例に過ぎず、前記実施例に記載した１２ポート参照信号パターンの分布規則に基づいて、他の１２ポート参照信号パターンを得ることもできるが、ここでは枚挙しない。
【００５６】
図４Ａでは、記載しやすくするために、１つの四角形で１つのＲＥを示し、１つのＲＥの位置が座標（ｘ，ｙ）（ここで、ｘ：符号番号、ｙ：サブ搬送波番号）で示される。各四角形の中の数値は、ポート番号を示す。
【００５７】
図４Ａには、４組の１２ポートＣＳＩ−ＲＳのパターンが示されている。そのうち、第１組のＣＳＩ−ＲＳと第２組のＣＳＩ−ＲＳのパターンは、前記１２ポート参照信号パターンの第２分布の規則に一致するが、第３組のＣＳＩ−ＲＳと第４組のＣＳＩ−ＲＳのパターンは、前記１２ポート参照信号パターンの第４分布の規則に一致する。
【００５８】
第１組のＣＳＩ−ＲＳがマッピングされるＲＥは、ポート番号０から１１までの順に、下記位置のＲＥ、すなわち（５，９）、（６，９）、（５，３）、（６，３）、（５，８）、（６，８）、（５，２）、（６，２）、（５，７）、（６，７）、（５，４）、（６，４）を含む。ここで、ポート０〜ポート７に対応するＲＥは、図１Ｃにおける１組のＣＳＩ−ＲＳがマッピングされるＲＥとは位置が同一であるが、ポート８〜ポート１１に対応するＲＥは、図１Ｃにおけるどの参照信号もマッピングされないＲＥである。
【００５９】
第２組のＣＳＩ−ＲＳがマッピングされるＲＥは、ポート番号０から１１までの順に、下記位置のＲＥ、すなわち（１２，９）、（１３，９）、（１２，３）、（１３，３）、（１２，８）、（１３，８）、（１２，２）、（１３，２）、（１２，７）、（１３，７）、（１２，４）、（１３，４）を含む。ここで、ポート０〜ポート７に対応するＲＥは、図１Ｃにおける１組のＣＳＩ−ＲＳがマッピングされるＲＥとは位置が同一であるが、ポート８〜ポート１１に対応するＲＥは、図１Ｃにおけるどの参照信号もマッピングされないＲＥである。
【００６０】
第３組のＣＳＩ−ＲＳがマッピングされるＲＥは、ポート番号０から１１までの順に、下記位置のＲＥ、即ち（９，１２）、（１０，１２）、（９，５）、（１０，５）、（９，１１）、（１０，１１）、（９，４）、（１０，４）、（９，７）、（１０，７）、（９，１）、（１０，１）を含む。ここで、ポート０〜ポート７に対応するＲＥは、図１Ｃにおける１組のＣＳＩ−ＲＳがマッピングされるＲＥとは位置が同一であり、ポート８とポート９に対応するＲＥは、図１Ｃにおける別組のＣＳＩ−ＲＳがマッピングされるＲＥのうちの２つのＲＥとは位置が同一であり、ポート１０とポート１１に対応するＲＥは、図１Ｃにおけるさらに別組のＣＳＩ−ＲＳがマッピングされるＲＥのうちの２つのＲＥとは位置が同一である。
【００６１】
第４組のＣＳＩ−ＲＳがマッピングされるＲＥは、ポート番号０から１１までの順に、下記位置のＲＥ、すなわち（９，９）、（１０，９）、（９，３）、（１０，３）、（９，８）、（１０，８）、（９，２）、（１０，２）、（９，６）、（１０，６）、（９，０）、（１０，０）を含む。ここで、ポート０〜ポート７に対応するＲＥは、図１Ｃにおける１組のＣＳＩ−ＲＳがマッピングされるＲＥとは位置が同一であり、ポート８とポート９に対応するＲＥは、図１Ｃにおける別組のＣＳＩ−ＲＳがマッピングされるＲＥのうちの２つのＲＥとは位置が同一であり、ポート１０とポート１１に対応するＲＥは、図１Ｃにおけるさらに別組のＣＳＩ−ＲＳがマッピングされるＲＥのうちの２つのＲＥとは位置が同一である。
【００６２】
本発明の実施例において、上述の原理に基づいて、ＴＤＤサブフレームのＤｗＰＴＳ領域内の１２ポート参照信号パイロットパターンを得ることもできる。
【００６３】
図４Ｂと図４Ｃには、それぞれＤｗＰＴＳでの１２ポート参照信号パターンが示されているが、図４Ｂに示すパターンは、長さが１１個符号または１２個符号であるＤｗＰＴＳに適用するに対し、図４Ｃに示すパターンは、長さが９個符号または１０個符号であるＤｗＰＴＳに適用する。なお、図４Ｂ、図４Ｃに示す１２ポート参照信号パターンが一例に過ぎず、前記１２ポート参照信号パターンの分布規則に基づいて、他の１２ポート参照信号パターンを得ることもできるが、ここでは枚挙しない。
【００６４】
図４Ｂ、図４Ｃでは、記載しやすくするために、１つの四角形で１つのＲＥを示し、１つのＲＥの位置が座標（ｘ，ｙ）（ここで、ｘ：符号番号、ｙ：サブ搬送波番号）で示される。各四角形の中の数値は、ポート番号を示す。
【００６５】
図４Ｂには、４組の１２ポートＣＳＩ−ＲＳのパターンが示されている。
【００６６】
第１組のＣＳＩ−ＲＳがマッピングされるＲＥは、ポート番号０から１１までの順に、下記位置のＲＥ、すなわち（２，９）、（３，９）、（２，３）、（３，３）、（２，８）、（３，８）、（２，２）、（３，２）、（２，７）、（３，７）、（２，４）、（３，４）を含む。ここで、ポート０〜ポート７に対応するＲＥは、図１Ｃにおける１組のＣＳＩ−ＲＳがマッピングされるＲＥの位置から３個符号前へ移動した位置とは同一であるが、ポート８〜ポート１１に対応するＲＥの符号２、符号３での周波数領域位置は、図１Ｃにおける符号５、符号６でどの参照信号もマッピングされないＲＥの周波数領域での位置とは同一である。
【００６７】
第２組のＣＳＩ−ＲＳがマッピングされるＲＥは、ポート番号０から１１までの順に、下記位置のＲＥ、すなわち（９，９）、（１０，９）、（９，３）、（１０，３）、（９，８）、（１０，８）、（９，２）、（１０，２）、（９，７）、（１０，７）、（９，４）、（１０，４）を含む。ここで、ポート０〜ポート７に対応するＲＥは、図１Ｃにおける１組のＣＳＩ−ＲＳがマッピングされるＲＥの位置から３個符号前へ移動した位置とは同一であるが、ポート８〜ポート１１に対応するＲＥの符号９、符号１０での周波数領域位置は、図１Ｃにおける符号１２、符号１３でどの参照信号もマッピングされないＲＥの周波数領域での位置とは同一である。
【００６８】
第３組のＣＳＩ−ＲＳがマッピングされるＲＥは、ポート番号０から１１までの順に、下記位置のＲＥ、すなわち（５，１１）、（６，１１）、（５，５）、（６，５）、（５，１０）、（６，１０）、（５，４）、（６，４）、（５，７）、（６，７）、（５，１）、（６，１）を含む。ここで、ポート０〜ポート７に対応するＲＥは、図１Ｃにおける１組のＣＳＩ−ＲＳがマッピングされるＲＥの位置から３個符号前へ移動した位置とは同一であるが、ポート８〜ポート１１に対応するＲＥは、図１Ｃにおける別組のＣＳＩ−ＲＳがマッピングされる４個のＲＥの位置から４個符号前へ移動した位置とは同一である。
【００６９】
第４組のＣＳＩ−ＲＳがマッピングされるＲＥは、ポート番号０から１１までの順に、下記位置のＲＥ、すなわち（５，９）、（６，９）、（５，３）、（６，３）、（５，８）、（６，８）、（５，２）、（６，２）、（５，６）、（６，６）、（５，０）、（６，０）を含む。ここで、ポート０〜ポート７に対応するＲＥは、図１Ｃにおける１組のＣＳＩ−ＲＳがマッピングされるＲＥの位置から３個符号前へ移動した位置とは同一であるが、ポート８〜ポート１１に対応するＲＥは、図１Ｃにおける別組のＣＳＩ−ＲＳがマッピングされる４個のＲＥの位置から４個符号前へ移動した位置とは同一である。
【００７０】
図４Ｃには、２組の１２ポートＣＳＩ−ＲＳのパターンが示されている。ここで、第１組のＣＳＩ−ＲＳがマッピングされるＲＥは、ポート番号０から１１までの順に、下記位置のＲＥ、すなわち（２，９）、（３，９）、（２，３）、（３，３）、（２，８）、（３，８）、（２，２）、（３，２）、（２，７）、（３，７）、（２，４）、（３，４）を含む。ここで、ポート０〜ポート７に対応するＲＥは、図１Ｃにおける１組のＣＳＩ−ＲＳがマッピングされるＲＥの位置から３個符号前へ移動した位置とは同一であるが、ポート８〜ポート１１に対応するＲＥの符号２、符号３での周波数領域位置は、図１Ｃにおける符号５、符号６でどの参照信号もマッピングされないＲＥの周波数領域での位置とは同一である。第２組のＣＳＩ−ＲＳがマッピングされるＲＥは、ポート番号０から１１までの順に、下記位置のＲＥ、すなわち（５，９）、（６，９）、（５，３）、（６，３）、（５，８）、（６，８）、（５，２）、（６，２）、（５，７）、（６，７）、（５，４）、（６，４）を含む。ここで、ポート０〜ポート７に対応するＲＥは、図１Ｃにおける１組のＣＳＩ−ＲＳがマッピングされるＲＥの位置から７個符号前へ移動した位置とは同一であるが、ポート８〜ポート１１に対応するＲＥの符号５、符号６での周波数領域位置は、図１Ｃにおける符号１２、符号１３でどの参照信号もマッピングされないＲＥの周波数領域での位置とは同一である。
【００７１】
また、図４Ａ、図４Ｂまたは図４Ｃでは、２個のポートごとに、２ビットＯＣＣによって多重化することができる。例えば、表１に示す方式に基づいて多重化することができる。
【００７２】
実施例３
実施例３では、８ポート参照信号パターンから１２ポート参照信号パターンの別取得手法を示している。
【００７３】
図５Ａには１２ポート参照信号パターンが示されている。なお、図５Ａに示す１２ポート参照信号パターンが一例に過ぎず、前記１２ポート参照信号パターンの分布規則に基づいて、他の１２ポート参照信号パターンを得ることもできるが、ここでは枚挙しない。
【００７４】
図５Ａでは、記載しやすくするために、１つの四角形で１つのＲＥを示し、１つのＲＥの位置が座標（ｘ，ｙ）（ここで、ｘ：符号番号、ｙ：サブ搬送波番号）で示される。各四角形の中の数値は、ポート番号を示す。
【００７５】
図５Ａには４組の１２ポートＣＳＩ−ＲＳのパターンが示されている。当該４組のＣＳＩ−ＲＳは、前記１２ポート参照信号パターンの第６分布に基づいて分布可能である。
【００７６】
第１組のＣＳＩ−ＲＳがマッピングされるＲＥは、ポート番号０から１１までの順に、下記位置のＲＥ、すなわち（５，９）、（６，９）、（９，１１）、（１０，１１）、（５，８）、（６，８）、（９，１０）、（１０，１１）、（５，７）、（６，７）、（９，９）、（１０，９）を含む。ここで、ポート０、ポート１、ポート４、ポート５に対応するＲＥは、図１Ｃにおける１組のＣＳＩ−ＲＳがマッピングされるＲＥとは位置が同一であり、ポート２、ポート３、ポート６、ポート７に対応するＲＥは、図１Ｃにおける別組のＣＳＩ−ＲＳがマッピングされるＲＥとは位置が同一であり、ポート１０、ポート１１に対応するＲＥは、図１Ｃにおけるさらに別組のＣＳＩ−ＲＳがマッピングされるＲＥとは位置が同一であり、ポート８、ポート９に対応するＲＥは、図１Ｃにおけるどの参照信号もマッピングされないＲＥである。
【００７７】
当該１２ポート参照信号パターンの第２組のＣＳＩ−ＲＳ、第３組のＣＳＩ−ＲＳ、第４組のＣＳＩ−ＲＳがマッピングされるＲＥも、上述の規則に一致する。以下、単に第２組のＣＳＩ−ＲＳ、第３組のＣＳＩ−ＲＳ、第４組のＣＳＩ−ＲＳがマッピングされるＲＥの位置を示す。第２組のＣＳＩ−ＲＳがマッピングされるＲＥは、ポート番号０から１１までの順に、下記位置のＲＥ、すなわち（５，４）、（６，４）、（９，８）、（１０，８）、（５，３）、（６，３）、（９，７）、（１０，７）、（５，２）、（６，２）、（９，６）、（１０，６）を含む。第３組のＣＳＩ−ＲＳがマッピングされるＲＥは、ポート番号０から１１までの順に、下記位置のＲＥ、すなわち（１２，９）、（１３，９）、（９，５）、（１０，５）、（１２，８）、（１３，８）、（９，４）、（１０，４）、（１２，７）、（１３，７）、（９，３）、（１０，３）を含む。第４組のＣＳＩ−ＲＳがマッピングされるＲＥは、ポート番号０から１１までの順に、下記位置のＲＥ、すなわち（１２，４）、（１３，４）、（９，２）、（１０，２）、（１２，３）、（１３，３）、（９，１）、（１０，１）、（１２，２）、（１３，２）、（９，０）、（１０，０）を含む。
【００７８】
本発明の実施例において、上述の原理に基づいて、ＴＤＤサブフレームのＤｗＰＴＳ領域内の１２ポート参照信号パイロットパターンを得ることもできる。
【００７９】
図５Ｂと図５Ｃには、それぞれＤｗＰＴＳでの１２ポート参照信号パターンが示されているが、図５Ｂに示すパターンは、長さが１１個符号または１２個符号であるＤｗＰＴＳに適用するに対し、図５Ｃに示すパターンは、長さが９個符号または１０個符号であるＤｗＰＴＳに適用する。なお、図５Ｂ、図５Ｃに示す１２ポート参照信号パターンが一例に過ぎず、前記１２ポート参照信号パターンの分布規則に基づいて、他の１２ポート参照信号パターンを得ることもできるが、ここでは枚挙しない。
【００８０】
図５Ｂ、図５Ｃでは、記載しやすくするために、１つの四角形で１つのＲＥを示し、１つのＲＥの位置が座標（ｘ，ｙ）（ここで、ｘ：符号番号、ｙ：サブ搬送波番号）で示される。各四角形の中の数値は、ポート番号を示す。
【００８１】
図５Ｂには、４組の１２ポートＣＳＩ−ＲＳのパターンが示されている。
【００８２】
第１組のＣＳＩ−ＲＳがマッピングされるＲＥは、ポート番号０から１１までの順に、下記位置のＲＥ、すなわち（２，９）、（３，９）、（５，１１）、（６，１１）、（２，８）、（３，８）、（５，１０）、（６，１０）、（２，７）、（３，７）、（５，９）、（５，９）を含む。ここで、ポート０、ポート１、ポート４、ポート５に対応するＲＥは、図１Ｃにおける１組のＣＳＩ−ＲＳがマッピングされる４個のＲＥの位置から３個符号前へ移動した位置とは同一であり、ポート２、ポート３、ポート６、ポート７に対応するＲＥは、図１Ｃにおける別組のＣＳＩ−ＲＳがマッピングされる４個のＲＥの位置から４個符号前へ移動した位置とは同一であり、ポート１０、ポート１１に対応するＲＥは、図１Ｃにおける１組のＣＳＩ−ＲＳがマッピングされる２個のＲＥの位置から４個符号前へ移動した位置とは同一であり、ポート８、ポート９に対応するＲＥの符号２、符号３での周波数領域位置は、図１Ｃにおける符号５、符号６でどの参照信号もマッピングされないＲＥの周波数領域位置とは同一である。
【００８３】
当該１２ポート参照信号パターンの第２組のＣＳＩ−ＲＳ、第３組のＣＳＩ−ＲＳ、第４組のＣＳＩ−ＲＳがマッピングされるＲＥも、上述の規則に一致する。以下、単に第２組のＣＳＩ−ＲＳ、第３組のＣＳＩ−ＲＳ、第４組のＣＳＩ−ＲＳがマッピングされるＲＥの位置を示す。第２組のＣＳＩ−ＲＳがマッピングされるＲＥは、ポート番号０から１１までの順に、下記位置のＲＥ、すなわち（２，４）、（３，４）、（５，８）、（６，８）、（２，３）、（３，３）、（５，７）、（６，７）、（２，２）、（３，２）、（５，６）、（５，６）を含む。第３組のＣＳＩ−ＲＳがマッピングされるＲＥは、ポート番号０から１１までの順に、下記位置のＲＥ、すなわち（９，９）、（１０，９）、（５，５）、（６，５）、（９，８）、（１０，８）、（５，４）、（６，４）、（９，７）、（１０，７）、（５，３）、（６，３）を含む。第４組のＣＳＩ−ＲＳがマッピングされるＲＥは、ポート番号０から１１までの順に、下記位置のＲＥ、すなわち（９，４）、（１０，４）、（５，２）、（６，２）、（９，３）、（１０，３）、（５，１）、（６，１）、（９，２）、（１０，２）、（５，０）、（６，０）を含む。
【００８４】
図５Ｃには、２組の１２ポートＣＳＩ−ＲＳのパターンが示されている。第１組のＣＳＩ−ＲＳがマッピングされるＲＥは、ポート番号０から１１までの順に、下記位置のＲＥ、すなわち（２，９）、（３，９）、（５，９）、（６，９）、（２，８）、（３，８）、（５，８）、（６，８）、（２，７）、（３，７）、（５，７）、（６，７）を含む。ここで、ポート０、ポート１、ポート４、ポート５に対応するＲＥは、図１Ｃにおける１組のＣＳＩ−ＲＳがマッピングされる４個のＲＥの位置から３個符号前へ移動した位置とは同一であり、ポート２、ポート３、ポート６、ポート７に対応するＲＥは、図１Ｃにおける１組のＣＳＩ−ＲＳがマッピングされる４個のＲＥの位置から４個符号前へ移動した位置とは同一であり、ポート１０、ポート１１に対応するＲＥは、図１Ｃにおける１組のＣＳＩ−ＲＳがマッピングされる２個のＲＥの位置から４個符号前へ移動した位置とは同一であり、ポート８、ポート９に対応するＲＥの符号２、符号３での周波数領域位置は、図１Ｃにおける符号５、符号６でどの参照信号もマッピングされないＲＥの周波数領域位置とは同一である。
【００８５】
当該１２ポート参照信号パターンの第２組のＣＳＩ−ＲＳがマッピングされるＲＥも、上述の規則に一致する。以下、単に第２組のＣＳＩ−ＲＳがマッピングされるＲＥの位置を示す。第２組のＣＳＩ−ＲＳがマッピングされるＲＥは、ポート番号０から１１までの順に、下記位置のＲＥ、すなわち（２，４）、（３，４）、（５，４）、（６，４）、（２，３）、（３，３）、（５，３）、（６，３）、（２，２）、（３，２）、（５，２）、（６，２）を含む。
【００８６】
図５Ａ、図５Ｂまたは図５Ｃでは、４個のポートごとに、４ビットＯＣＣによって多重化することができる。例えば、表２に示す方式に基づいて多重化することができる。
【００８７】
【表２】
0006618607.tif 000003
【００８８】
表２には、ＣＳＩ−ＲＳポート０〜ＣＳＩ−ＲＳポート３が４ビットＯＣＣで多重化でき、ＣＳＩ−ＲＳポート４〜ＣＳＩ−ＲＳポート７が４ビットＯＣＣで多重化でき、ＣＳＩ−ＲＳポート８〜ＣＳＩ−ＲＳポート１１が４ビットＯＣＣで多重化できることが示されている。
【００８９】
本発明の実施例では、１２個のポートのうち、２個のポートで２ビットＯＣＣで多重化し、４個のポートで４ビットＯＣＣで多重化することを除外しない。
【００９０】
本発明の実施例では、１２個のポート群で４ビットＯＣＣで多重化し、別の１２個のポート群で２ビットＯＣＣで多重化することを除外しない。
【００９１】
実施例４
実施例４では、８ポート参照信号パターンから１２ポート参照信号パターンの別取得手法を示している。
【００９２】
図６Ａには、１２ポート参照信号パターンが示されている。なお、図６Ａに示す１２ポート参照信号パターンが一例に過ぎず、前記１２ポート参照信号パターンの分布規則に基づいて、他の１２ポート参照信号パターンを得ることもできるが、ここでは枚挙しない。
【００９３】
図６Ａでは、記載しやすくするために、１つの四角形で１つのＲＥを示し、１つのＲＥの位置が座標（ｘ，ｙ）（ここで、ｘ：符号番号、ｙ：サブ搬送波番号）で示される。各四角形の中の数値は、ポート番号を示す。
【００９４】
図６Ａには、４組の１２ポートＣＳＩ−ＲＳのパターンが示されている。ここで、第１組、第２組、第３組のＣＳＩ−ＲＳのパターンは、前記１２ポート参照信号パターンの第７分布の規則に一致し、第４組のＣＳＩ−ＲＳのパターンは、前記１２ポート参照信号パターンの第８分布の規則に一致する。
【００９５】
第１組のＣＳＩ−ＲＳがマッピングされるＲＥは、ポート番号０から１１までの順に、下記位置のＲＥ、すなわち（５，９）、（６，９）、（９，１１）、（１０，１１）、（５，８）、（６，８）、（９，１０）、（１０，１１）、（１２，９）、（１３，９）、（１２，８）、（１３，８）を含む。ここで、ポート０、ポート１、ポート４、ポート５に対応するＲＥは、図１Ｃにおける１組のＣＳＩ−ＲＳがマッピングされるＲＥとは位置が同一であり、ポート２、ポート３、ポート６、ポート７に対応するＲＥは、図１Ｃにおける別組のＣＳＩ−ＲＳがマッピングされるＲＥとは位置が同一であり、ポート８〜ポート１１に対応するＲＥは、図１Ｃにおける別組のＣＳＩ−ＲＳがマッピングされるＲＥとは位置が同一である。
【００９６】
第２組のＣＳＩ−ＲＳがマッピングされるＲＥは、ポート番号０から１１までの順に、下記位置のＲＥ、すなわち（５，３）、（６，３）、（９，１）、（１０，１）、（５，２）、（６，２）、（９，０）、（１０，０）、（１２，３）、（１３，３）、（１２，２）、（１３，２）を含む。ここで、ポート０、ポート１、ポート４、ポート５に対応するＲＥは、図１Ｃにおける１組のＣＳＩ−ＲＳがマッピングされるＲＥとは位置が同一であり、ポート２、ポート３、ポート６、ポート７に対応するＲＥは、図１Ｃにおける別組のＣＳＩ−ＲＳがマッピングされるＲＥとは位置が同一であり、ポート８〜ポート１１に対応するＲＥは、図１Ｃにおける別組のＣＳＩ−ＲＳがマッピングされるＲＥとは位置が同一である。
【００９７】
第３組のＣＳＩ−ＲＳがマッピングされるＲＥは、ポート番号０から１１までの順に、下記位置のＲＥ、すなわち（９，７）、（１０，７）、（９，４）、（１０，４）、（９，６）、（１０，６）、（９，３）、（１０，３）、（９，５）、（１０，５）、（９，２）、（１０，２）を含む。ここで、ポート０、ポート１、ポート４、ポート５に対応するＲＥは、図１Ｃにおける１組のＣＳＩ−ＲＳがマッピングされるＲＥとは位置が同一であり、ポート２、ポート３、ポート８、ポート９に対応するＲＥは、図１Ｃにおける別組のＣＳＩ−ＲＳがマッピングされるＲＥとは位置が同一であり、ポート６、ポート７、ポート１０、ポート１１に対応するＲＥは、図１Ｃにおける別組のＣＳＩ−ＲＳがマッピングされるＲＥとは位置が同一である。
【００９８】
第４組のＣＳＩ−ＲＳがマッピングされるＲＥは、ポート番号０から１１までの順に、下記位置のＲＥ、すなわち（５，７）、（６，７）、（９，９）、（１０，９）、（５，４）、（６，４）、（９，８）、（１０，８）、（１２，７）、（１３，７）、（１２，４）、（１３，４）を含む。ここで、ポート２、ポート３、ポート６、ポート７に対応するＲＥは、図１Ｃにおける１組のＣＳＩ−ＲＳがマッピングされるＲＥとは位置が同一であり、他のポートに対応するＲＥは、図１Ｃにおけるどの参照信号もマッピングされないＲＥである。
【００９９】
本発明の実施例において、上述の原理に基づいて、ＴＤＤサブフレームのＤｗＰＴＳ領域内の１２ポート参照信号パイロットパターンを得ることもできる。
【０１００】
図６Ｂには、ＤｗＰＴＳでの１２ポート参照信号パターンが示されているが、図６Ｂに示す１２ポート参照信号パターンが一例に過ぎず、前記１２ポート参照信号パターンの分布に基づいて、他の１２ポート参照信号パターンを得ることもできるが、ここでは枚挙しない。
【０１０１】
図６Ｂでは、記載しやすくするために、１つの四角形で１つのＲＥを示し、１つのＲＥの位置が座標（ｘ，ｙ）（ここで、ｘ：符号番号、ｙ：サブ搬送波番号）で示される。各四角形の中の数値は、ポート番号を示す。
【０１０２】
図６Ｂには、４組の１２ポートＣＳＩ−ＲＳのパターンが示されている。第１組のＣＳＩ−ＲＳがマッピングされるＲＥは、ポート番号０から１１までの順に、下記位置のＲＥ、すなわち（２，９）、（３，９）、（５，１１）、（６，１１）、（２，８）、（３，８）、（５，１０）、（６，１０）、（９，９）、（１０，９）、（９，８）、（１０，８）を含む。ここで、ポート０、ポート１、ポート４、ポート５に対応するＲＥは、図１Ｃにおける１組のＣＳＩ−ＲＳがマッピングされる４個のＲＥの位置から３個符号前へ移動した位置とは同一であり、ポート２、ポート３、ポート６、ポート７に対応するＲＥは、図１Ｃにおける１組のＣＳＩ−ＲＳがマッピングされる４個のＲＥの位置から４個符号前へ移動した位置とは同一であり、ポート８〜ポート１１に対応するＲＥは、図１Ｃにおける１組のＣＳＩ−ＲＳがマッピングされる２個のＲＥの位置から３個符号前へ移動した位置とは同一である。第２組のＣＳＩ−ＲＳがマッピングされるＲＥは、ポート番号０から１１までの順に、下記位置のＲＥ、すなわち（２，３）、（３，３）、（５，１）、（５，１）、（２，２）、（３，２）、（５，０）、（６，０）、（１２，３）、（１３，３）、（１２，２）、（１３，２）を含む。第３組のＣＳＩ−ＲＳがマッピングされるＲＥは、ポート番号０から１１までの順に、下記位置のＲＥ、すなわち（５，７）、（６，７）、（５，４）、（６，４）、（５，６）、（６，６）、（５，３）、（６，３）、（５，５）、（６，５）、（５，２）、（６，２）を含む。第４組のＣＳＩ−ＲＳがマッピングされるＲＥは、ポート番号０から１１までの順に、下記位置のＲＥ、すなわち（２，７）、（３，７）、（５，９）、（６，９）、（２，４）、（３，４）、（５，８）、（６，８）、（９，７）、（１０，７）、（９，４）、（１０，４）を含む。
【０１０３】
図６Ａまたは図６Ｂでは、第１組のＣＳＩ−ＲＳに対応するポート０、ポート１、ポート２、ポート３、ポート８、ポート９は、６ビットＯＣＣによって多重化し、第１組のＣＳＩ−ＲＳに対応するポート４、ポート５、ポート６、ポート７、ポート１０、ポート１１は、６ビットＯＣＣによって多重化する。本発明の実施例では、１２ポート群で６ビットＯＣＣによって多重化し、別の１２ポート群で２ビットまたは４ビットＯＣＣによって多重化することを除外しない。
【０１０４】
実施例５
実施例５では、８ポート参照信号パターンから１６ポート参照信号パターンの取得手法を示している。
【０１０５】
図７Ａ、図７Ｂ、図７Ｃ、図７Ｄには、１２ポート参照信号パターンが示されている。ここで、図７Ａ、図７Ｂに示すパターンは、短いＣＰ（Ｃｙｃｌｉｃ  Ｐｒｅｆｉｘ）を使用して符号処理を行う場合に適用するが、図７Ｃ、図７Ｄに示すパターンは、長いＣＰを使用して符号処理を行う場合に適用する。なお、ここで図示される１２ポート参照信号パターンが一例に過ぎず、前記１２ポート参照信号パターンの分布規則に基づいて、他の１２ポート参照信号パターンを得ることもできるが、ここでは枚挙しない。
【０１０６】
図７Ａ、図７Ｂ、図７Ｃ、図７Ｄでは、記載しやすくするために、１つの四角形で１つのＲＥを示し、１つのＲＥの位置が座標（ｘ，ｙ）（ここで、ｘ：符号番号、ｙ：サブ搬送波番号）で示される。各四角形の中の数値は、ポート番号を示す。
【０１０７】
図７Ａには、２組の１６ポートＣＳＩ−ＲＳのパターンが示されている。第１組のＣＳＩ−ＲＳがマッピングされるＲＥは、ポート番号０から１１までの順に、下記位置のＲＥ、すなわち（５，９）、（６，９）、（５，３）、（６，３）、（５，８）、（６，８）、（５，２）、（６，２）、（９，１１）、（１０，１１）、（９，５）、（１０，５）、（９，１０）、（１０，１０）、（９，４）、（１０，４）を含む。ここで、ポート０、ポート１、ポート４、ポート５に対応するＲＥは、図１Ｃにおける１組のＣＳＩ−ＲＳがマッピングされるＲＥとは位置が同一であり、ポート２、ポート３、ポート６、ポート７に対応するＲＥは、図１Ｃにおける別組のＣＳＩ−ＲＳがマッピングされるＲＥとは位置が同一であり、ポート８、ポート９、ポート１２、ポート１３に対応するＲＥは、図１Ｃにおける別組のＣＳＩ−ＲＳがマッピングされるＲＥとは位置が同一であり、残りポートに対応するＲＥは、図１Ｃにおける別組のＣＳＩ−ＲＳがマッピングされるＲＥとは位置が同一である。第２組のＣＳＩ−ＲＳがマッピングされるＲＥは、ポート番号０から１１までの順に、下記位置のＲＥ、すなわち（９，９）、（１０，９）、（９，３）、（９，３）、（９，８）、（９，８）、（９，２）、（９，２）、（１２，９）、（１３，９）、（９，３）、（１０，３）、（９，８）、（１０，８）、（９，２）、（１０，２）を含む。ここで、ポート０、ポート１、ポート４、ポート５に対応するＲＥは、図１Ｃにおける１組のＣＳＩ−ＲＳがマッピングされるＲＥとは位置が同一であり、ポート２、ポート３、ポート６、ポート７に対応するＲＥは、図１Ｃにおける別組のＣＳＩ−ＲＳがマッピングされるＲＥとは位置が同一であり、ポート８、ポート９、ポート１２、ポート１３に対応するＲＥは、図１Ｃにおける別組のＣＳＩ−ＲＳがマッピングされるＲＥとは位置が同一であり、残りポートに対応するＲＥは、図１Ｃにおける別組のＣＳＩ−ＲＳがマッピングされるＲＥとは位置が同一である。
【０１０８】
図７Ｂには、２組の１６ポートＣＳＩ−ＲＳのパターンが示されている。第１組のＣＳＩ−ＲＳがマッピングされるＲＥは、ポート番号０から１１までの順に、下記位置のＲＥ、すなわち（５，９）、（６，９）、（５，３）、（６，３）、（５，８）、（６，８）、（５，２）、（６，２）、（９，９）、（１０，９）、（９，３）、（１０，３）、（９，８）、（１０，８）、（９，２）、（１０，２）を含む。第２組のＣＳＩ−ＲＳがマッピングされるＲＥは、ポート番号０から１１までの順に、下記位置のＲＥ、すなわち（９，１１）、（１０，１１）、（９，５）、（１０，５）、（９，１０）、（１０，１０）、（９，４）、（１０，４）、（１２，９）、（１３，９）、（１２，３）、（１３，３）、（１２，８）、（１３，８）、（１２，２）、（１３，２）を含む。
【０１０９】
図７Ｃには、２組の１６ポートＣＳＩ−ＲＳのパターンが示されている。第１組のＣＳＩ−ＲＳがマッピングされるＲＥは、ポート番号０から１１までの順に、下記位置のＲＥ、すなわち（４，１１）、（５，１１）、（４，８）、（５，８）、（４，５）、（５，６）、（４，２）、（５，２）、（１０，１０）、（１１，１０）、（１０，７）、（１１，７）、（１０，４）、（１１，４）、（１０，１）、（１１，１）を含む。第２組のＣＳＩ−ＲＳがマッピングされるＲＥは、ポート番号０から１１までの順に、下記位置のＲＥ、すなわち（４，９）、（５，９）、（４，６）、（５，６）、（４，３）、（５，３）、（４，０）、（５，０）、（１０，９）、（１１，９）、（１０，６）、（１１，６）、（１０，３）、（１１，３）、（１０，０）、（１１，０）を含む。
【０１１０】
図７Ｄには、２組の１６ポートＣＳＩ−ＲＳのパターンが示されている。第１組のＣＳＩ−ＲＳがマッピングされるＲＥは、ポート番号０から１１までの順に、下記位置のＲＥ、すなわち（４，１１）、（５，１１）、（４，８）、（５，８）、（４，５）、（５，６）、（４，２）、（５，２）、（１０，９）、（１１，９）、（１０，６）、（１１，６）、（１０，３）、（１１，３）、（１０，０）、（１１，０）を含む。第２組のＣＳＩ−ＲＳがマッピングされるＲＥは、ポート番号０から１１までの順に、下記位置のＲＥ、すなわち（４，９）、（５，９）、（４，６）、（５，６）、（４，３）、（５，３）、（４，０）、（５，０）、（１０，１０）、（１１，１０）、（１０，７）、（１１，７）、（１０，４）、（１１，４）、（１０，１）、（１１，１）を含む。
【０１１１】
本発明の実施例において、上述の原理に基づいて、ＴＤＤサブフレームのＤｗＰＴＳ領域内の１２ポート参照信号パイロットパターンを得ることもできる。
【０１１２】
図７Ｅ、図７Ｆには、ＤｗＰＴＳでの１６ポート参照信号パターンが示されている。なお、図７Ｅに示す１６ポート参照信号パターンが一例に過ぎず、前記１６ポート参照信号パターンの分布規則に基づいて、他の１６ポート参照信号パターンを得ることもできるが、ここでは枚挙しない。
【０１１３】
図７Ｅ、図７Ｆでは、記載しやすくするために、１つの四角形で１つのＲＥを示し、１つのＲＥの位置が座標（ｘ，ｙ）（ここで、ｘ：符号番号、ｙ：サブ搬送波番号）で示される。各四角形の中の数値は、ポート番号を示す。
【０１１４】
図７Ｅには、２組の１６ポートＣＳＩ−ＲＳのパターンが示されている。第１組のＣＳＩ−ＲＳがマッピングされるＲＥは、ポート番号０から１１までの順に、下記位置のＲＥ、すなわち（２，９）、（３，９）、（２，３）、（３，３）、（２，８）、（３，８）、（５，２）、（６，２）、（５，１１）、（１０，１１）、（５，５）、（６，５）、（５，１０）、（６，１０）、（５，４）、（６，４）を含む。第２組のＣＳＩ−ＲＳがマッピングされるＲＥは、ポート番号０から１１までの順に、下記位置のＲＥ、すなわち（５，９）、（６，９）、（５，３）、（６，３）、（５，８）、（６，８）、（５，２）、（６，２）、（９，９）、（１０，９）、（９，３）、（１０，３）、（９，８）、（１０，８）、（９，２）、（１０，２）を含む。
【０１１５】
図７Ｆには、１組の１６ポートＣＳＩ−ＲＳのパターンが示されている。ポート番号０から１１までの順に、下記位置のＲＥ、すなわち（２，９）、（３，９）、（２，３）、（３，３）、（２，８）、（３，８）、（２，２）、（３，２）、（５，９）、（１０，９）、（５，３）、（６，３）、（５，８）、（６，８）、（５，２）、（６，２）を含む。
【０１１６】
図７Ａ〜図７Ｅでは、２個のポートごとに、２ビットＯＣＣで多重化することができ、例えば、表３に示す方式に基づいて多重化することができる。
【０１１７】
【表３】
0006618607.tif 000004
【０１１８】
表３には、ＣＳＩ−ＲＳポート０、ＣＳＩ−ＲＳポート１が２ビットＯＣＣで多重化し、ＣＳＩ−ＲＳポート４、ＣＳＩ−ＲＳポート５が２ビットＯＣＣで多重化し、ＣＳＩ−ＲＳポート２、ＣＳＩ−ＲＳポート３が２ビットＯＣＣで多重化し、これに準じて類推することが示されている。
【０１１９】
図７Ａ〜図７Ｅでは、４個のポートごとに、２ビットＯＣＣで多重化することもでき、例えば表４に示す方式に基づいて多重化することができる。
【０１２０】
【表４】
0006618607.tif 000005
【０１２１】
ここで、ポート０、ポート１、ポート８、ポート９は、４ビットＯＣＣで多重化し、ポート４、ポート５、ポート１２、ポート１３は、４ビットＯＣＣで多重化し、ポート２、ポート３、ポート１０、ポート１１は、４ビットＯＣＣで多重化し、ポート６、ポート７、ポート１４、ポート１５は、４ビットＯＣＣで多重化する。
【０１２２】
図７Ａは、図１Ｃと比較した結果、ＣＳＩ−ＲＳにマッピングされないＲＥがある。本発明の実施例は、マッピングされないＲＥが他の位置に存在することを除外しない。
【０１２３】
本発明の実施例は、異なるポート組み合わせおよび異なる直交多重化コードを除外しない。
【０１２４】
本発明の実施例は、１６個のポートのうち、２個のポートで２ビットＯＣＣで多重化し、４個のポートで４ビットＯＣＣで多重化することを除外しない。また、本発明の実施例は、１６個のポート群で４ビットＯＣＣで多重化し、別の１６個のポート群で２ビットＯＣＣで多重化することを除外しない。
【０１２５】
同一の技術思想に基づいて、本発明の実施例は、参照信号マッピング装置をさらに提供する。
【０１２６】
図８は、本発明の実施例による参照信号マッピング装置の概略構造図である。当該装置は、上述の参照信号マッピングフローを実現することができる。当該装置は、確定モジュール８１と、マッピングモジュール８２とを含む。確定モジュール８１は、Ｎ（１２または１６）ポート参照信号パターンに基づいて、ＣＳＩ−ＲＳがマッピングされるＲＥの位置を確定する。ここで、前記Ｎポート参照信号パターンでＣＳＩ−ＲＳがマッピングされるＲＥの位置は、２ポート、４ポート、８ポート参照信号パターンのうちの１つまたは複数の参照信号パターンでＣＳＩ−ＲＳがマッピングされるＲＥの位置に基づいて確定される。マッピングモジュール８２は、確定したＲＥの位置に基づいて、ＣＳＩ−ＲＳのリソースマッピングを行う。
【０１２７】
前記Ｎポート参照信号パターンで１組のＣＳＩ−ＲＳがマッピングされるＮ個のＲＥのうち、少なくとも一部のＲＥの位置は、８ポート参照信号パターンで１組または複数組のＣＳＩ−ＲＳがマッピングされるＲＥの位置とは同一であることが好ましい。
【０１２８】
前記１２ポート参照信号パターンで１組のＣＳＩ−ＲＳがマッピングされる１２個のＲＥのうち、８個のＲＥの位置は、８ポート参照信号パターンで第１組のＣＳＩ−ＲＳがマッピングされる８個のＲＥの位置とは同一であり、残り４個のＲＥの位置は、下記第１分布〜第５分布のうちの１つを含み、または、前記１２ポート参照信号パターンで１組のＣＳＩ−ＲＳがマッピングされる１２個のＲＥのうち、４個のＲＥの位置は、８ポート参照信号パターンで第１組のＣＳＩ−ＲＳがマッピングされる８個のＲＥのうちの４個のＲＥの位置とは同一であり、残り８個のＲＥの位置は、下記第６分布〜第９分布のうちの１つを含むことが好ましい。
第１分布）前記残り４個のＲＥの分布は、４ポート参照信号パターンで１組のＣＳＩ−ＲＳがマッピングされる４個のＲＥの位置とは同一である；
第２分布）前記残り４個のＲＥは、８ポート参照信号パターンでどの参照信号もマッピングされないＲＥである；
第３分布）前記残り４個のＲＥの位置は、８ポート参照信号パターンで第２組のＣＳＩ−ＲＳがマッピングされるＲＥのうちの４個のＲＥの位置とは同一である；
第４分布）前記残り４個のＲＥのうち、２個のＲＥの位置は、８ポート参照信号パターンで第２組のＣＳＩ−ＲＳがマッピングされる８個のＲＥのうちの２個のＲＥの位置とは同一であり、他２個のＲＥの位置は、８ポート参照信号パターンで第３組のＣＳＩ−ＲＳがマッピングされる８個のＲＥのうちの２個のＲＥの位置とは同一である；
第５分布）前記残り４個のＲＥのうち、２個のＲＥの位置は、８ポート参照信号パターンで第２組のＣＳＩ−ＲＳがマッピングされる８個のＲＥのうちの２個のＲＥの位置とは同一であり、他２個のＲＥの位置は、８ポート参照信号パターンでどの参照信号もマッピングされないＲＥである；
第６分布）前記残り８個のＲＥのうち、４個のＲＥの位置は、８ポート参照信号パターンで第２組のＣＳＩ−ＲＳがマッピングされる８個のＲＥのうちの４個のＲＥの位置とは同一であり、他４個のＲＥのうち、２個のＲＥの位置は、８ポート参照信号パターンで第３組のＣＳＩ−ＲＳがマッピングされる８個のＲＥのうちの２個のＲＥの位置とは同一であり、他２個のＲＥは、８ポート参照信号パターンでどの参照信号もマッピングされないＲＥである；
第７分布）前記残り８個のＲＥのうち、４個のＲＥの位置は、８ポート参照信号パターンで第２組のＣＳＩ−ＲＳがマッピングされる８個のＲＥのうちの４個のＲＥの位置とは同一であり、他４個のＲＥの位置は、８ポート参照信号パターンで第３組のＣＳＩ−ＲＳがマッピングされる８個のＲＥのうちの４個のＲＥの位置とは同一である；
第８分布）前記残り８個のＲＥのうち、４個のＲＥの位置は、８ポート参照信号パターンで第２組のＣＳＩ−ＲＳがマッピングされる８個のＲＥのうちの４個のＲＥの位置とは同一であり、他４個のＲＥは、８ポート参照信号パターンでどの参照信号もマッピングされないＲＥである；
第９分布）前記残り８個のＲＥは、８ポート参照信号パターンでどの参照信号もマッピングされないＲＥである。
【０１２９】
前記１６ポート参照信号パターンで１組のＣＳＩ−ＲＳがマッピングされる１６個のＲＥのうち、８個のＲＥの位置は、８ポート参照信号パターンで第１組のＣＳＩ−ＲＳがマッピングされる８個のＲＥの位置とは同一であり、残り８個のＲＥの位置は、８ポート参照信号パターンで第２組のＣＳＩ−ＲＳがマッピングされる８個のＲＥの位置とは同一であることが好ましい。
【０１３０】
前記Ｎポート参照信号パターンで１組のＣＳＩ−ＲＳがマッピングされるＮ個のＲＥは、同一列符号または非同一列符号に位置することが好ましい。ここで各列符号に２つの隣接符号が含まれる。
【０１３１】
復調参照信号ＤＭ−ＲＳを送信しない場合、前記Ｎポート参照信号パターンに基づいて、１組のＣＳＩ−ＲＳがマッピングされるＮ個のＲＥのうち、一部のＲＥは、前記ＤＭ−ＲＳがマッピングされるＲＥの位置にマッピングされることが好ましい。
【０１３２】
前記Ｎポート参照信号パターンで１組のＣＳＩ−ＲＳに対応するＮ個のポートのうち、少なくとも２個のポートは、２ビットの直交スペクトル拡散コードで多重化し、または、少なくとも４個のポートは、４ビットの直交スペクトル拡散コードで多重化し、または、少なくとも６個のポートは、６ビットの直交スペクトル拡散コードで多重化することが好ましい。
【０１３３】
前記Ｎポート参照信号パターンは、ＤｗＰＴＳのＮポート参照信号パターンを含むことが好ましい。
【０１３４】
図９は、本発明の実施例によるネットワーク側機器（例えば基地局）の概略構造図である。当該基地局は、上述の参照信号マッピングフローを実現することができる。
【０１３５】
当該ネットワーク側機器は、バスアーキテクチャと通常の処理を管理するプロセッサ９０１と、プロセッサ９０１による操作実行時に利用されるデータを記憶できるメモリ９０２と、プロセッサ９０１による制御でデータを送受信するためのトランシーバ９０３と、バスインタフェースを含む。
【０１３６】
バスアーキテクチャは、任意数の相互接続するバスとブリッジを含み、具体的に、プロセッサ９０１をはじめとする１つ又は複数のプロセッサとメモリ９０２をはじめとするメモリの各種類の回路が接続したものである。バスアーキテクチャは、周辺機器、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９０３は、複数の部品であってもよく、即ち送信機と受信機を含み、伝送媒体でほかの各種類の装置と通信するユニットとして提供される。プロセッサ９０１は、バスアーキテクチャと通常の処理を管理する。メモリ９０２は、プロセッサ９０１による操作実行時に利用されるデータを記憶できる。
【０１３７】
本発明の実施例によるネットワーク側のデータ伝送フローは、プロセッサ９０１に応用可能であり、またはプロセッサ９０１によって実現される。実現過程において、データ伝送フローの各ステップは、プロセッサ９０１におけるハードウェアの集積論理回路またはソフトウェア形式の指令によって遂行される。プロセッサ９０１は、汎用プロセッサ、デジタル信号プロセッサ、専用集積回路、ＦＰＧＡまたは他のプログラマブル論理デバイス、分離ゲートまたはトランジスタ論理デバイス、分離ハードウェアコンポーネントであり、本発明の実施例における各方法、ステップおよび論理ブロック図を実現または実行することができる。汎用プロセッサは、マイクロプロセッサまたは任意の通常プロセッサなどである。本発明の実施例による方法のステップは、直接ハードウェアのプロセッサによって実行されて遂行されるか、プロセッサにおけるハードウェアおよびソフトウェアモジュールの組み合わせによって実行されて遂行される。ソフトウェアモジュールは、ＲＡＭ、フラッシュメモリ、ＲＯＭ、ＰＲＯＭまたはＥＥＰＲＯＭ、レジスタなど本分野の周知の記憶媒体に位置する。当該記憶媒体は、メモリ９０２に位置する。プロセッサ９０１は、メモリ９０２における情報を読み取って、そのハードウェアと組み合わせて制御面の処理方法のステップを遂行する。
【０１３８】
具体的に、プロセッサ９０１は、メモリ９０２からプログラムを読み取って、Ｎ（１２または１６）ポート参照信号パターンに基づいて、ＣＳＩ−ＲＳがマッピングされるＲＥの位置を確定するプロセスを実行する。ここで、前記Ｎポート参照信号パターンでＣＳＩ−ＲＳがマッピングされるＲＥの位置は、２ポート、４ポート、８ポート参照信号パターンのうちの１つまたは複数の参照信号パターンでＣＳＩ−ＲＳがマッピングされるＲＥの位置に基づいて確定される。また、確定したＲＥの位置に基づいて、ＣＳＩ−ＲＳのリソースマッピングを行うプロセスを実行する。
【０１３９】
前記Ｎポート参照信号パターンで１組のＣＳＩ−ＲＳがマッピングされるＮ個のＲＥのうち、少なくとも一部のＲＥの位置は、８ポート参照信号パターンで１組または複数組のＣＳＩ−ＲＳがマッピングされるＲＥの位置とは同一であることが好ましい。
【０１４０】
前記１２ポート参照信号パターンで１組のＣＳＩ−ＲＳがマッピングされる１２個のＲＥのうち、８個のＲＥの位置は、８ポート参照信号パターンで第１組のＣＳＩ−ＲＳがマッピングされる８個のＲＥの位置とは同一であり、残り４個のＲＥの位置は、下記第１分布〜第５分布のうちの１つを含み、または、前記１２ポート参照信号パターンで１組のＣＳＩ−ＲＳがマッピングされる１２個のＲＥのうち、４個のＲＥの位置は、８ポート参照信号パターンで第１組のＣＳＩ−ＲＳがマッピングされる８個のＲＥのうちの４個のＲＥの位置とは同一であり、残り８個のＲＥの位置は、下記第６分布〜第９分布のうちの１つを含むことが好ましい。
第１分布）前記残り４個のＲＥの分布は、４ポート参照信号パターンで１組のＣＳＩ−ＲＳがマッピングされる４個のＲＥの位置とは同一である；
第２分布）前記残り４個のＲＥは、８ポート参照信号パターンでどの参照信号もマッピングされないＲＥである；
第３分布）前記残り４個のＲＥの位置は、８ポート参照信号パターンで第２組のＣＳＩ−ＲＳがマッピングされるＲＥのうちの４個のＲＥの位置とは同一である；
第４分布）前記残り４個のＲＥのうち、２個のＲＥの位置は、８ポート参照信号パターンで第２組のＣＳＩ−ＲＳがマッピングされる８個のＲＥのうちの２個のＲＥの位置とは同一であり、他２個のＲＥの位置は、８ポート参照信号パターンで第３組のＣＳＩ−ＲＳがマッピングされる８個のＲＥのうちの２個のＲＥの位置とは同一である；
第５分布）前記残り４個のＲＥのうち、２個のＲＥの位置は、８ポート参照信号パターンで第２組のＣＳＩ−ＲＳがマッピングされる８個のＲＥのうちの２個のＲＥの位置とは同一であり、他２個のＲＥは、８ポート参照信号パターンでどの参照信号もマッピングされないＲＥである；
第６分布）前記残り８個のＲＥのうち、４個のＲＥの位置は、８ポート参照信号パターンで第２組のＣＳＩ−ＲＳがマッピングされる８個のＲＥのうちの４個のＲＥの位置とは同一であり、他４個のＲＥのうち、２個のＲＥの位置は、８ポート参照信号パターンで第３組のＣＳＩ−ＲＳがマッピングされる８個のＲＥのうちの２個のＲＥの位置とは同一であり、他２個のＲＥは、８ポート参照信号パターンでどの参照信号もマッピングされないＲＥである；
第７分布）前記残り８個のＲＥのうち、４個のＲＥの位置は、８ポート参照信号パターンで第２組のＣＳＩ−ＲＳがマッピングされる８個のＲＥのうちの４個のＲＥの位置とは同一であり、他４個のＲＥの位置は、８ポート参照信号パターンで第３組のＣＳＩ−ＲＳがマッピングされる８個のＲＥのうちの４個のＲＥの位置とは同一である；
第８分布）前記残り８個のＲＥのうち、４個のＲＥの位置は、８ポート参照信号パターンで第２組のＣＳＩ−ＲＳがマッピングされる８個のＲＥのうちの４個のＲＥの位置とは同一であり、他４個のＲＥは、８ポート参照信号パターンでどの参照信号もマッピングされないＲＥである；
第９分布）前記残り８個のＲＥは、８ポート参照信号パターンでどの参照信号もマッピングされないＲＥである。
【０１４１】
前記１６ポート参照信号パターンで１組のＣＳＩ−ＲＳがマッピングされる１６個のＲＥのうち、８個のＲＥの位置は、８ポート参照信号パターンで第１組のＣＳＩ−ＲＳがマッピングされる８個のＲＥの位置とは同一であり、残り８個のＲＥの位置は、８ポート参照信号パターンで第２組のＣＳＩ−ＲＳがマッピングされる８個のＲＥの位置とは同一であることが好ましい。
【０１４２】
前記Ｎポート参照信号パターンで１組のＣＳＩ−ＲＳがマッピングされるＮ個のＲＥは、同一列符号または非同一列符号に位置することが好ましい。ここで各列符号に２つの隣接符号が含まれる。
【０１４３】
復調参照信号ＤＭ−ＲＳを送信しない場合、前記Ｎポート参照信号パターンに基づいて１組のＣＳＩ−ＲＳがマッピングされるＮ個のＲＥのうち、一部のＲＥは、前記ＤＭ−ＲＳがマッピングされるＲＥの位置にマッピングされることが好ましい。
【０１４４】
前記Ｎポート参照信号パターンで１組のＣＳＩ−ＲＳに対応するＮ個のポートのうち、少なくとも２個のポートは、２ビットの直交スペクトル拡散コードで多重化し、または、少なくとも４個のポートは、４ビットの直交スペクトル拡散コードで多重化し、または、少なくとも６個のポートは、６ビットの直交スペクトル拡散コードで多重化することが好ましい。
【０１４５】
前記Ｎポート参照信号パターンは、ＤｗＰＴＳのＮポート参照信号パターンを含むことが好ましい。
【０１４６】
本発明の実施例は、方法、システム、またはコンピュータプログラムプロダクトとして提供されうると当業者が理解できる。従って、本発明は、完全にハードウェアの実施例、完全にソフトウェアの実施例、またはソフトウェアとハードウェアを組み合わせた実施例の形態を取り得る。しかも、本発明は、コンピュータ利用可能なプログラムコードを含む１つまたは複数のコンピュータ利用可能な記憶媒体（磁気ディスクメモリ、光学メモリなどを含むが、それらに限らない）で実施されるコンピュータプログラムプロダクトの形態を取り得る。
【０１４７】
本発明は、本発明の実施例による方法、デバイス（システム）およびコンピュータプログラムプロダクトのフロー図および／またはブロック図を参照にして記載されている。フロー図および／またはブロック図における各フローおよび／またはブロック、およびフロー図および／またはブロック図におけるフローおよび／またはブロックの組み合わせは、コンピュータプログラムコマンドにより実現されうると理解されるべきである。これらのコンピュータプログラムコマンドを汎用コンピュータ、専用コンピュータ、嵌め込み式プロセッサまたは他のプログラマブルデータ処理デバイスのプロセッサに提供して１つの機器を形成し、コンピュータまたは他のプログラマブルデータ処理デバイスのプロセッサにより実行される指令により、フロー図の１つまたは複数のフローおよび／またはブロック図の１つまたは複数のブロックで指定される機能を実現するための装置を形成する。
【０１４８】
これらのコンピュータプログラムコマンドは、コンピュータまたは他のプログラマブルデータ処理デバイスに特定の方式で動作させるを導けるコンピュータ読み出し可能なメモリに格納されてもよく、上記コンピュータ読み出し可能なメモリに格納されるコマンドにより、コマンド装置を含むプロダクトを形成する。上記コマンド装置は、フロー図の１つまたは複数のフローおよび／またはブロック図の１つまたは複数のブロックで指定される機能を実現する。
【０１４９】
これらのコンピュータプログラムコマンドは、コンピュータまたは他のプログラマブルデータ処理デバイスにロードされてもよく、コンピュータまたは他のプログラマブルデータ処理デバイスで一連の操作工程を実行することにより、コンピュータで実現される処理を形成し、コンピュータまたは他のプログラマブルデータ処理デバイスで実行されるコマンドにより、フロー図の１つまたは複数のフローおよび／またはブロック図の１つまたは複数のブロックで指定される機能を実現するためのステップを提供する。
【０１５０】
明らかに、当業者は、本発明の精神や範囲を逸脱せずに、本発明に対して様々な変更や変形をすることができる。このように、本発明のこれらの修正や変形が本発明の請求項およびその同等の技術範囲に含まれるものであれば、本発明は、これらの変更や変形を含むことを意図する。
【図１Ａ】
0006618607.tif 000006
【図１Ｂ】
0006618607.tif 000007
【図１Ｃ】
0006618607.tif 000008
【図２】
0006618607.tif 000009
【図３Ａ】
0006618607.tif 000010
【図３Ｂ】
0006618607.tif 000011
【図３Ｃ】
0006618607.tif 000012
【図４Ａ】
0006618607.tif 000013
【図４Ｂ】
0006618607.tif 000014
【図４Ｃ】
0006618607.tif 000015
【図５Ａ】
0006618607.tif 000016
【図５Ｂ】
0006618607.tif 000017
【図５Ｃ】
0006618607.tif 000018
【図６Ａ】
0006618607.tif 000019
【図６Ｂ】
0006618607.tif 000020
【図７Ａ】
0006618607.tif 000021
【図７Ｂ】
0006618607.tif 000022
【図７Ｃ】
0006618607.tif 000023
【図７Ｄ】
0006618607.tif 000024
【図７Ｅ】
0006618607.tif 000025
【図７Ｆ】
0006618607.tif 000026
【図８】
0006618607.tif 000027
【図９】
0006618607.tif 000028